(57)【要約】【課題】  回転軸のぶれを抑制して良好な指針の指示を行うことが可能な指針式計器を提供する。【解決手段】  指針２と、この指針２が指示する指標部を備えた文字板３と、指針２または文字板３の少なくともどちらか一方に照明光を供給する光源４と、指針２を駆動する回転軸５を軸支するハウジング６を有する駆動装置７とを備えた指針式計器１において、ハウジング６に回転軸５に沿って延びるとともに回転軸５を受ける軸受部６ｄを有する筒状部６ｃを設け、筒状部６ｃに通電部材１１を設け、通電部材１１と光源４とを接続したものである。【選択図】  図１
2008032614.tif 000002
【特許請求の範囲】
【請求項１】
指針と、この指針が指示する指標部を備えた文字板と、前記指針または前記文字板の少なくともどちらか一方に照明光を供給する光源と、前記指針を駆動する回転軸を軸支するハウジングを有する駆動装置とを備えた指針式計器において、前記ハウジングに前記回転軸に沿って延びるとともに前記回転軸を受ける軸受部を有する筒状部を設け、前記筒状部に通電部材を設け、前記通電部材と前記光源とを接続したことを特徴とする指針式計器。
【請求項２】
指針と、この指針が指示する指標部を備えた文字板と、前記指針または前記文字板の少なくともどちらか一方に照明光を供給する光源と、前記指針を駆動する回転軸を軸支するハウジングを有する駆動装置と、前記光源および前記駆動装置に電力を供給する回路基板とを備えた指針式計器において、前記ハウジングに前記回転軸に沿って延びるとともにその先端部に前記回転軸を受ける軸受部を有する筒状部を設け、前記筒状部に通電部材を設け、前記通電部材と前記光源とを接続したことを特徴とする指針式計器。
【請求項３】
前記光源の照明光が前記指針と前記文字板とに供給されることを特徴とする請求項１または２に記載の指針式計器。
【請求項４】
前記文字板の背面側に導光板を設け、この導光板に前記光源の光を受ける入光部を設け、この入光部で受けた光を前記文字板に導くことを特徴とする請求項１または２に記載の指針式計器。
【請求項５】
前記光源の照明光が前記導光板を介して前記指針に供給されることを特徴とする請求項４に記載の指針式計器。
【請求項６】
前記光源が発光素子とこの発光素子を収納する筐体とからなり、前記筐体に前記回転軸が貫通する孔を設けたことを特徴とする請求項１または２に記載の指針式計器。
【発明の詳細な説明】
【技術分野】
【０００１】
本発明は、車両用計器に関し、特に指針を備えた指針式計器に関する。
【背景技術】
【０００２】
従来の指針式計器は、指針と、この指針が指示する指標部を備えた文字板と、この文字板を照明する光源と、この光源が実装されるとともに前記文字板と適宜間隔を有して設けられる回路基板と、前記指針を回転駆動するとともに前記回路基板の背面（文字板を設けた面とは反対の面）に設けた駆動装置とを備えたものであった（例えば、特許文献１参照）。
【特許文献１】特開２０００−２０５８９７号公報
【発明の開示】
【発明が解決しようとする課題】
【０００３】
しかしながら、従来の指針式計器においては、前記回路基板に回路素子等を配置する都合上、前記回路基板と前記文字板との間に間隔が設けられていた。前記回路基板と前記文字板との間隔のために、前記指針と前記駆動装置とを連結する回転軸の長さが長くなってしまい、この長くなった回転軸はぶれやすく、前記指針の指示にも影響を与えるという虞があった。また、近年の指針式計器のデザイン上の要求から、重く慣性モーメントの大きい指針を駆動する必要が多々あり、さらに回転軸がぶれやすく、前記指針の指示に影響を与えるという虞があった。
【０００４】
そこで本発明は、この問題に鑑みなされたものであり、回転軸のぶれを抑制して良好な指針の指示を行うことが可能な指針式計器を提供するものである。
【課題を解決するための手段】
【０００５】
本発明の指針式計器は、指針と、この指針が指示する指標部を備えた文字板と、前記指針または前記文字板の少なくともどちらか一方に照明光を供給する光源と、前記指針を駆動する回転軸を軸支するハウジングを有する駆動装置とを備えた指針式計器において、前記ハウジングに前記回転軸に沿って延びるとともに前記回転軸を受ける軸受部を有する筒状部を設け、前記筒状部に通電部材を設け、前記通電部材と前記光源とを接続したものである。
【０００６】
また、指針と、この指針が指示する指標部を備えた文字板と、前記指針または前記文字板の少なくともどちらか一方に照明光を供給する光源と、前記指針を駆動する回転軸を軸支するハウジングを有する駆動装置と、前記光源および前記駆動装置に電力を供給する回路基板とを備えた指針式計器において、前記ハウジングに前記回転軸に沿って延びるとともにその先端部に前記回転軸を受ける軸受部を有する筒状部を設け、前記筒状部に通電部材を設け、前記通電部材と前記光源とを接続したものである。
【０００７】
また、前記光源の照明光が前記指針と前記文字板とに供給されるものである。
【０００８】
また、前記文字板の背面側に導光板を設け、この導光板に前記光源の光を受ける入光部を設け、この入光部で受けた光を前記文字板に導くものである。
【０００９】
また、前記光源の照明光が前記導光板を介して前記指針に供給されるものである。
【００１０】
また、前記光源が発光素子とこの発光素子を収納する筐体とからなり、前記筐体に前記回転軸が貫通する孔を設けたものである。
【発明の効果】
【００１１】
本発明により、回転軸のぶれを抑制して良好な指針の指示を行うことが可能な指針式計器を提供することができる。
【発明を実施するための最良の形態】
【００１２】
本発明の指針式計器は、指針２と、この指針２が指示する指標部を備えた文字板３と、指針２または文字板３の少なくともどちらか一方に照明光を供給する光源４と、指針２を駆動する回転軸５を軸支するハウジング６を有する駆動装置７とを備えた指針式計器１において、ハウジング６に回転軸５に沿って延びるとともに回転軸５を受ける軸受部６ｄを有する筒状部６ｃを設け、筒状部６ｃに通電部材１１を設け、通電部材１１と光源４とを接続したものである。このように構成したことによって、回転軸のぶれを抑制して良好な指針の指示を行うことが可能な指針式計器を提供することができる。
【００１３】
また、指針２と、この指針２が指示する指標部を備えた文字板３と、指針２または文字板３の少なくともどちらか一方に照明光を供給する光源４と、指針２を駆動する回転軸５を軸支するハウジング６を有する駆動装置７と、光源４および駆動装置７に電力を供給する回路基板８とを備えた指針式計器１において、ハウジング６に回転軸５に沿って延びるとともにその先端部に回転軸５を受ける軸受部６を有する筒状部６ｃを設け、筒状部６ｃに通電部材１１を設け、通電部材１１と光源４とを接続したものである。このように構成したことによって、回転軸のぶれを抑制して良好な指針の指示を行うことが可能な指針式計器を提供することができる。
【００１４】
また、光源４の照明光が指針４と文字板３とに供給されるものである。このように構成したことによって、回転軸のぶれを抑制して良好な指針の指示を行うことが可能な指針式計器を提供することができる。
【００１５】
また、文字板３の背面側に導光板３ａを設け、この導光板３ａに光源４の光を受ける入光部３ｃを設け、この入光部３ｃで受けた光を文字板４に導くものである。このように構成したことによって、回転軸のぶれを抑制して良好な指針の指示を行うことが可能な指針式計器を提供することができる。
【００１６】
また、光源４の照明光が導光板３ｃを介して指針２に供給されるものである。このように構成したことによって、回転軸のぶれを抑制して良好な指針の指示を行うことが可能な指針式計器を提供することができる。
【００１７】
また、光源４が発光素子８とこの発光素子８を収納する筐体４ｂとからなり、筐体４ｂに回転軸５が貫通する孔５ｄを設けたものである。このように構成したことによって、回転軸のぶれを抑制して良好な指針の指示を行うことが可能な指針式計器を提供することができる。
【実施例１】
【００１８】
以下、図面に基づいて本発明の指針式計器を説明する。
【００１９】
本発明の指針式計器１は、指針２と、文字板３と、文字板３の背面側に設けた導光板３ａと、導光板３ａを介して文字板３に照明光を供給する光源４と、指針２を駆動する回転軸５を軸支するハウジング６を有する駆動装置７と、光源４および駆動装置７に電力を供給する回路基板８とを備えている。
【００２０】
指針２は、指示部２ａと基部２ｂ及び指針キャップ２ｃとで構成されている。指示部２ａと基部２ｂは透明な合成樹脂によって一体に形成されている。基部２ｂには、回転軸５が圧入されており、基部２ｂが回転軸５に対して回転しないように固定されている。指針キャップ２ｃは光を通さない遮光性の合成樹脂製であり、本実施例においては、黒色である。指針キャップ２ｃはお椀形状であり、基部２ｃを覆い隠している。
【００２１】
文字板３は、平板状の透明な合成樹脂製の基材の表面側（指針２が存在する側）に、光を通さない図示しない遮光層を備えており、この遮光層の一部に、図示しない指標部を少なくとも備えている。この指標部は、指針２が指示する文字や目盛などからなる。また、指標部は光を透過するものであり、光源４によって、文字板３の背後から透過照明される。
【００２２】
導光板３ａは、平板状の透明な合成樹脂からなる。この導光板３ａには、指針２の基部２ｂや回転軸５が貫通する貫通孔３ｂが設けられており、この貫通孔３ｂの内面が光源４の光を受ける入光部３ｃである。導光板３ａは、入光部３ｃで受けた光を文字板３に導き、文字板３を背後から透過照明するものである。
【００２３】
光源４は、本実施例においては、発光ダイオードであり、発光素子４ａと筐体４ｂと透明な樹脂４ｃとを備えている。筐体４ｂは白色系の光不透過の合成樹脂からなり、発光素子４ａの光を良好に反射するお椀型の反射面を備えており、樹脂４ｃは、反射面によって形成された凹部に充填されるものである。本実施例では、発光ダイオード４は、回転軸５に対して垂直方向で、かつ回転軸５を中心として放射方向に設けられている。そして、発光ダイオード４は、導光板３ａの入光部３ｃに対向するように設けられている。なお、図面に示された発光ダイオード４の個数は一つであったが、複数設けても良い。
【００２４】
回路基板８は、ガラスエポキシ樹脂などの硬質な絶縁性部材を基材とし、この基材に図示しない導電性の金属、例えば銅などからなる配線パターンを備えている。そして、光源４や駆動装置７に外部からの電力を供給するものである。なお、この回路基板８には、図示しない回路素子などが実装されている。
【００２５】
駆動装置７は、ハウジング６と、回転軸５と、回転軸５に固定された第１のギア５ａと、円盤状の磁石９と、磁石９の回転する中心軸となる第２の回転軸９ａと、第２の回転軸９ａに固定された第２のギア９ｂと、ハウジング６の外側を覆うケース１０とを備えている。なお、本実施例の駆動装置７は、交差コイル式の駆動装置であり、ハウジング６の外側に、図示しない２つコイルを交差するように設けてある。
【００２６】
回転軸５は金属製で、細長い円筒形状である。
【００２７】
第１のギア５ａは合成樹脂製であり、円板形状で、その外周にギアの歯を備えている。
【００２８】
磁石９はドーナツ形状である。
【００２９】
第２の回転軸９ａも回転軸５と同様に金属製で、細長い円筒形状である。
【００３０】
第２のギア９ｂは合成樹脂製であり、円板形状で、その外周にギアの歯を備えている。なお、本実施例においては、第２のギア９ｂの下方に磁石９の固定部９ｃが一体に形成されており、磁石９はこの固定部９ｃに固定されている。第２のギア９ｂは、第１のギア５ａとかみ合っている。本実施例では、第１のギア５ａと第２のギア９ｂとで、減速機構を構成している。
【００３１】
ハウジング６は、上ハウジング６ａと下ハウジング６ｂとからなり、上下ハウジング６ａ、６ｂは、合成樹脂製である。上ハウジング６ａと下ハウジング６ｂは、適宜手段によて固定されている。上ハウジング６ａと下ハウジング６ｂとによって、形成される内部空間には、回転軸５の一部と、第１のギア５ａと、磁石９と、第２の回転軸９ａと、第２のギア９ｂとが収納されている。
【００３２】
上ハウジング６ａには、回転軸５に沿って延びる筒状部６ｃが設けられている。この筒状部６ｃは、本実施例では、円筒形状である。この筒状部６ｃの先端部は、回転軸５を受ける軸受部６ｄを備えている。なお、軸受部６ｄは、筒状部６ｃの先端部に設ける必要はなく、先端部から第１のギア５ａ側に設けても良い。なお、回転軸５のぶれを抑制するためには、先端部側に設ける方が好ましい。
【００３３】
また、筒状部６ｃには、その内部に通電部材１１を内蔵している。通電部材１１は、筒状部６ｃの先端部から上ハウジング６ａとの付け根まで、すなわち、筒状部６ｃの全長にわたって内蔵されている。通電部材１１は燐青銅や真鍮といった銅系の金属であり、通電部材１１の一端は、筒状部６ｃの先端部から露出しており、この露出した通電部材１１に光源４が半田などによって、固定されている。よって、光源４は、筒状部６ｃの先端部の上面に位置している。通電部材１１の他端は、回路基板８と半田によって、図示しない回路パターンと電気的に接続している。よって、通電部材１１は、回路基板８と光源４とを電気的に接続するものである。本実施例では、通電部材１１を２つ備えており、２つの通電部材１１は、回転軸５を中心として点対称の位置に設けられている。
【００３４】
また、この通電部材１１は、回路基板８と光源４とを電気的に接続するとともに、さらに、通電部材１１を金属で形成することによって、筒状部６ｃの剛性を高めて、筒状部６ｃの変形を抑制することができる。
【００３５】
以上の構成によって、回転軸５は、上ハウジング６ａの軸受部６ｄと、下ハウジング６ｂに形成した軸受部６ｅとによって、回転可能に支持されている。また、第２の回転軸９ａは、上ハウジング６ａの内面に設けた軸受部６ｆと、下ハウジング６ｂの内面に設けた軸受部６ｇとによって、回転可能に支持されている。
【００３６】
よって、磁石９が前記コイルによって第２の回転軸９ａを軸として回転すると、第２のギア９ｂ、第１のギア５ａ、回転軸５と回転が伝達され、最終的に指針２が回転し、指針２が文字板３に前記目盛を指示する。
【００３７】
以上の構成によって、筒状部６ｃを回転軸５に沿って延ばし、軸受部６ｄ、６ｅ間の距離を離すことで、回転軸５のぶれを抑制することができる。また、筒状部６ｃを回転軸５に沿って延ばしたことによる剛性の低下を、通電部材１１を筒状部６ｃに設けることによって抑え、回転軸５のぶれを抑制することができ、ひいては良好な指針２の指示を行うことができる。
【００３８】
また、発光ダイオード４を、導光板３ａの貫通孔３ｂの入光部３ｃに対向するように設けたことによって、従来の指針式計に用いられる導光板のように、導光板の入光部を光源に近接させるために、光源上部で折り曲げる必要がなく、この折り曲がった部分からの光漏れによる導光効率の低下を防止することができ、良好な照明を行うことができる。
【００３９】
なお、前記実施例では、通電部材１１は、その両端以外は、筒状部６ｃに内蔵されていたが、前記実施例に限定されるものではなく、図２に示すように、筒状部６ｃの表面に露出するように設けても良い。
【００４０】
また、光源４を文字板３（導光板３ａ）の中心位置、すなわち指針２の回転軸５の中心近傍に配置し、放射状に文字板３（導光板３ａ）を照明するために、図３に示すように、光源４の発光素子４ａを収納する筐体４ｂに回転軸５が貫通する孔４ｄを設け、光源４、特に発光素子４ａを文字板３（導光板３ａ）の中心位置、すなわち指針２の回転軸５の中心近傍に配置するようにしてもよい。このように構成することによって、文字板３をより良好に照明することができる。
【００４１】
なお、前記各実施例においては、光源４は、文字板３のみに照明光を供給し文字板３のみを照明するものであったが、前記実施例に限定されるものではなく、指針２のみ、あるいは、文字板３と指針２とを照明するものであっても良い。この場合、光源４の照明光を、指針２のみ、あるいは、文字板３と指針２とに供給することができるように、光源４が発光ダイオードの場合は、筐体４ｂや樹脂４ｃの形状を適宜設定すればよい。例えば、図４に示すように、光源４の発光素子４ａが指針２の基部２ｂ方向に向くように設けられている。また、光源４を文字板３（導光板３ａ）の中心位置、すなわち指針２の回転軸５の中心近傍に配置するために、発光素子４ａを収納する筐体４ｂと樹脂４ｃに回転軸５が貫通する孔４ｄを設けたものである。導光板３ａへの照明光の供給は、光源４の樹脂４ｃの形状を導光板３ａへ供給可能な形状とすることによって行われる。このように構成したことによって、指針キャップ２ｃの外形を小さくすることができる。また、光源４の照明光が通過する文字板３の貫通孔、導光板３ａを設けた場合は、導光板３ａの貫通孔３ｂも小さくすることも可能となる。
【００４２】
また、光源４の樹脂４ｃの形状によって、導光板３ａに照明光を供給するのではなく、図５に示すように、導光板３ａを介して、指針２と文字板３を照明するものであってもよい。この変形例は、導光板３ａの貫通孔３ｂを前記各実施例より小径とし、この貫通孔３ｃの周囲で、指針２側にすり鉢状の反射面３ｄを形成し、この反射面３ｄの下側で光源４と対向している部分を入光部３ｅとする。以上の構成によって、光源４の照明光は、入光部３ｅから導光板３ａ内に入り、反射面３ｄで貫通孔３ｂを中心に放射方向に反射されて、文字板３を背後から照明する。また、入射部３ｅから導光板３ａ内に入った照明光の一部は、反射面３ｄを透過して指針２に到り、光源４の照明光が導光板３ａを介して指針２に供給される。
【００４３】
また、前記各実施例においては、文字板３は、導光板３ａを介して、光源４の照明光が供給されていたが、前記実施例に限定されるものではなく、導光板３ａを介さず、直接文字板３を照明するものであってもよい。なお、この場合は、導光板３ａの代わりに白色の合成樹脂などからなる反射部材を用いても良い。
【図面の簡単な説明】
【００４４】
【図１】本発明の一実施例の指針式計器の断面図。
【図２】本発明の他の実施例の指針式計器の断面図。
【図３】本発明の変形例の指針式計器の断面図。
【図４】本発明の他の変形例の指針式計器の断面図。
【図５】本発明のさらに他の変形例の指針式計器の断面図。
【符号の説明】
【００４５】
１    指針式計器
２    指針
３    文字板
３ａ  導光板
３ｃ  入光部
３ｄ  反射面
３ｅ  入光部
４    発光ダイオード（光源）
４ｂ  筐体
４ｄ  孔
５    回転軸
６    ハウジング
６ｃ  筒状部
６ｄ  軸受部
７    駆動装置
８    回路基板
１１    通電部材
【図１】
2008032614.tif 000003
【図２】
2008032614.tif 000004
【図３】
2008032614.tif 000005
【図４】
2008032614.tif 000006
【図５】
2008032614.tif 000007